(57)【要約】【課題】  プロジェクタシステムを提供する。【解決手段】  本発明はプロジェクタシステム１を提供する。プロジェクタシステム１では、対物ユニット４の光出射部又は光出射面４ｅをカバーする対物カバーユニット６が、動作モードにおいてプロジェクタシステム１のプロジェクタユニット３に適した支持又は保持ユニット８として作用するように構成されている。更に、又は代わりに、プロジェクタシステム１は、投影に適した個別の位置又は方向或いはその両方を実現するように、動作又は投影モードで位置する表面領域２ａを備えている。【選択図】        図３
2004199061.tif 000002
【特許請求の範囲】
【請求項１】
プロジェクタシステムにおいて、
画像を光学的に投影する対物ユニットを有するプロジェクタユニットと、
当該プロジェクタシステムの待機モード、休止モード、非投影モード及び非動作モードのうち少なくとも１つにおいて、前記対物ユニットの光出射部又は光出射面を覆う対物カバーユニットとを備え、
前記対物カバーユニットが、当該プロジェクタシステムの動作モードにおいて、前記プロジェクタユニットを保持する支持又は保持ユニットとして機能するように構成されていること
を特徴とするプロジェクタシステム。
【請求項２】
当該プロジェクタシステムの前記動作モードにおいて、前記プロジェクタユニットが前記支持又は保持ユニットとして機能する前記対物カバーユニットによって支持される場合に、前記プロジェクタユニットの複数の部分が前記対物カバーユニット上に載置可能であるように、前記対物カバーユニット及び前記プロジェクタユニットが構成されていることを特徴とする請求項１に記載のプロジェクタシステム。
【請求項３】
前記プロジェクタユニットの前記部分の各々は、前記プロジェクタユニットが、当該プロジェクタシステムの動作モードにおいて、前記支持又は保持ユニットとして機能する前記対物カバーユニットによって支持された場合に、当該プロジェクタシステムが互いに異なる姿勢に割り当てられるように選択されていることを特徴とする請求項２に記載のプロジェクタシステム。
【請求項４】
プロジェクタシステムにおいて、
画像を光学的に投影する対物ユニットを有するプロジェクタユニットを備え、
前記プロジェクタユニットの表面領域は、当該プロジェクタシステムの動作モード又は投影モードにおいて、該プロジェクタユニットの直接的又は間接的な載置を可能とする複数の部分を有するように構成され、
前記プロジェクタユニットの前記複数の部分の各々は、当該プロジェクタシステムの動作モード又は投影モードにおいて、当該プロジェクタシステムが互いに異なる姿勢に割り当てられるように選択されていること
を特徴とするプロジェクタシステム。
【請求項５】
前記複数の部分の各々に当該プロジェクタシステムを着脱自在に固定する固定手段が設けられており、当該プロジェクタシステムは、前記各部分に載置された場合、該部分に対応する姿勢をとることを特徴とする請求項４に記載のプロジェクタシステム。
【請求項６】
当該プロジェクタシステムの待機モード、休止モード、非投影モード及び非動作モードのうち少なくとも１つにおいて、前記対物ユニットの光出射部又は光出射面を覆う対物カバーユニットを更に備え、
前記対物カバーユニットは、当該プロジェクタシステムの動作モードにおいて、前記プロジェクタユニットを支持する支持又は保持ユニット及び／又は前記固定手段として機能するように構成されていることを特徴とする請求項４又は５に記載のプロジェクタシステム。
【請求項７】
当該プロジェクタシステムの動作モードにおいて、該プロジェクタシステムが前記支持又は保持ユニットとして機能する前記対物カバーユニットによって支持された場合、前記プロジェクタユニットの前記部分の各々は、当該プロジェクタシステムが互いに異なる垂直方向及び水平方向における投影角度を実現するように選択されていることを特徴とする請求項２乃至６のいずれか１項に記載のプロジェクタシステム。
【請求項８】
前記対物カバーユニット及び前記プロジェクタユニットは、連続して分布する複数の前記投影角度を提供するように構成されていることを特徴とする請求項２乃至７のいずれか１項に記載のプロジェクタシステム。
【請求項９】
前記プロジェクタユニットは、表面を有するベース部を備え、
前記表面の少なくとも一部は、少なくとも局所的に連続的又は滑らかな凸面を形成することを特徴とする請求項１乃至８のいずれか１項に記載のプロジェクタシステム。
【請求項１０】
前記ベース部は、その断面構造において、少なくとも部分的な円形状、楕円状及び放物線状のうちいずれかの形状を備えていることを特徴とする請求項９に記載のプロジェクタシステム。
【請求項１１】
前記ベース部は、少なくとも部分的に、球状、楕円体状、放物線体状及び円筒状のいずれかの形状であることを特徴とする請求項９又は１０に記載のプロジェクタシステム。
【請求項１２】
前記ベース部は略半球状又は略半円筒状に形成されていることを特徴とする請求項９乃至１１のいずれか１項に記載のプロジェクタシステム。
【請求項１３】
前記対物カバーユニットが、前記対物ユニットに対して着脱自在のキャップとして形成されていることを特徴とする請求項１乃至１２のいずれか１項に記載のプロジェクタシステム。
【請求項１４】
前記対物カバーユニットが、
当該プロジェクタシステムの前記待機モード、休止モード、非投影モード及び非動作モードのいずれかにおいて前記対物ユニット光出射部又は光出射面と対向し、当該プロジェクタシステムの動作モードにおいて前記プロジェクタユニットに対向するように構成されている第一のベース面と、
前記待機モード、休止モード、非投影モード及び非動作モードのいずれかにおいて前記の第一のベース面の反対側に位置し、前記動作モードにおいて前記ベース部の反対側に位置する第２のベース面とを備えていることを特徴とする請求項１乃至１３のいずれか１項に記載のプロジェクタシステム。
【請求項１５】
前記対物カバーユニットは、前記第一のベース面の周辺から突出するよう形成された縁部分を備え、
前記縁部分は当該プロジェクタシステムの動作モードにおいて、前記プロジェクユニットに係合して支持を可能とする接触面を備えること
を特徴とする請求項１４に記載のプロジェクタシステム。
【請求項１６】
前記プロジェクタユニットが重力平衡により前記支持又は保持ユニットによって支持されることを可能とする形状及び質量分布を備えていることを特徴とする請求項１乃至１５のいずれか１項に記載のプロジェクタシステム。
【発明の詳細な説明】
【技術分野】
【０００１】
本発明は、画像を光学的に投影するための対物光学系を含むユニット（以下、対物ユニットと呼ぶ）を含むプロジェクタユニットを備えたプロジェクタシステムに関する。
【背景技術】
【０００２】
外部スクリーン上に画像を投影するプロジェクタ及びプロジェクタシステムが、益々普及してきている。例えば、いわゆるビーマ（beamer）又はビーマシステムを用いて、講演会や研修会などの大勢の視聴者のために、携帯用パーソナルコンピュータ、例えば、ラップトップ又はノートブックコンピュータの画像を投影している。画像を投影する周知の装置では、プロジェクタユニットが、例えば外部スクリーン上に画像を光学的に投影する対物ユニットを備えて提供されている。例えば、従来技術の一例として、下記特許文献１が知られている。
【０００３】
【特許文献１】特開２００２−２９６６７０号公報
【発明の開示】
【発明が解決しようとする課題】
【０００４】
通常、投影する処理及び動作中に、テーブルなどのような動作面にプロジェクタシステムを支えるための追加的な手段が、必要であり提供されている。従って、互いに異なる構成をもち、それぞれ独立した構成要素が、一方で対物ユニットを保護するために、他方で外部の作業面又は動作面上に使用中のプロジェクタシステムを支えて保持するために、周知のプロジェクタとプロジェクタシステムとにおいて必要になる。
【０００５】
また、プロジェクタとプロジェクタシステムは垂直方向の投影の位置及び／又は姿勢を設定し保持するだけでなく、水平方向及び／又は垂直方向を含め種々の投影方向に広く対応できることが求められている。
【課題を解決するための手段】
【０００６】
本発明の目的は、限られた又はより少ない数の構成部品を用いて、外部の作業面又は動作面上で安定して支持することができるプロジェクタシステムを提供することである。また、本発明の他の目的は、限られた又はより少ない数の構成部品を用いて、種々の投影方向に広く対応でき、安定的な支持と同時に高い信頼性で保護することを可能とする、プロジェクタシステムを提供することにある。
【０００７】
上述の目的に対する第１の解決法によれば、本発明に係るプロジェクタシステムは、例えば外部スクリーン上に、画像を光学的に投影する対物レンズユニットを有するプロジェクタユニットと当該プロジェクタシステムの待機モード、休止モード、非投影モード及び非動作モードのうち少なくとも１つにおいて、対物ユニットの光出射部又は光出射面を覆う対物レンズのカバーユニットとを備え、対物カバーユニットが、プロジェクタユニットを支持する支持又は保持ユニットとして作動及び／又は機能するように構成されていることを特徴にしている。例えば、本発明は、本プロジェクタシステムが外部動作面に配置されている場合、及び／又は、本プロジェクタシステムの動作モードにある場合に適している。
【０００８】
すなわち、第１の解決法による本発明の基本的な考えは、２つの機能を有する対物カバーユニットを提供することにある。第１の機能によれば、対物カバーユニットは、待機モード又は休止モードのように、プロジェクタシステムの非投影モードにおいて対物ユニットの光出射部をカバーするように構成されている。本発明によれば、対物カバーユニットの第２の機能は、支持又は保持ユニットとして作用する、すなわち、本プロジェクタシステムの動作モード又は投影モード中にプロジェクタユニットを保持及び支持することにある。従って、本発明によれば、明確に分離された支持手段と保持手段とは用いていない。なぜならば、対物カバーユニットは、対物ユニットの光出射部に対する保護機能を非投影モード中に実現し、投影モード中には支持又は保持ユニットとして使用することができるからである。なお、投影モード中は、対物カバーユニットの保護機能は必要とされない。
【０００９】
本発明の一実施形態におけるプロジェクタシステムによれば、プロジェクタシステムの動作モードにおいて、プロジェクタユニットが支持又は保持ユニットとして機能する対物カバーユニットによって支持される場合に、プロジェクタユニットの複数の箇所及び／又は部分が対物カバーユニット上に載置可能であるように、対物カバーユニット及び／又はプロジェクタユニットが形成及び／又は構成されている。具体的には、プロジェクタユニット上の複数の箇所及び／又は部分はそれぞれ、対応する複数の投影状態、或いは複数の水平方向及び／又は垂直方向での傾斜角度又は投影角度が設定できるように設けられている。
【００１０】
更に、又は代わりに、プロジェクタユニットの箇所及び／又は部分の各々は、プロジェクタユニットが、当該プロジェクタシステムの動作モードにおいて、支持又は保持ユニットとして機能する対物カバーユニットによって支持された場合に、プロジェクタシステム、或いはその対物ユニットを互いに異なる位置及び／又は姿勢が割り当てられる及び／又は実現されるように選択されている。
【００１１】
また、上述の目的に対する第２の解決法によれば、本発明に係るプロジェクタシステムは、例えば外部スクリーン上に、画像を光学的に投影するための対物ユニットを有するプロジェクタユニットを備え、プロジェクタユニットの表面領域が、本プロジェクタシステムの動作モード又は投影モードにおいて、例えば外部の作業面又は操作面上に直接的又は間接的に載置を可能とする複数の箇所又は部分を有するように構成され、更に、プロジェクタユニットの複数の箇所及び／又は部分の各々が、本プロジェクタシステムの動作モード又は投影モードにおいて、本プロジェクタシステム、或いはその対物ユニットが互いに異なる位置及び／又は姿勢に割り当てられる及び／又は実現されるように選択されていることを特徴としている。
【００１２】
すなわち、第２の解決法の基本的な考えは、本プロジェクタシステム、或いはプロジェクタユニットとして、その表面領域に本プロジェクタシステムが載置できる複数の部分及び／又は箇所を設けたものを提供することにより、更なる装備を必要とせずに好ましい方式で種々の投影方向及び／又は位置の設定を可能とすることにある。
【００１３】
第２の解決法の一実施形態によれば、複数の箇所及び／又は部分の各々に本プロジェクタシステム、或いはプロジェクタユニットを着脱自在に固定する固定手段が設けられ、本プロジェクタシステムは各箇所又は部分に載置された場合、箇所又は部分に対応する位置及び／又は姿勢をとる。
【００１４】
第２の解決法によるプロジェクタシステムは、プロジェクタシステムの待機モード、休止モード、非投影モード、及び、非動作モードのうち少なくとも１つにおいて、対物ユニットの光出射部又は光出射面を覆う対物カバーユニットを更に備え、対物カバーユニットは、当該プロジェクタシステムの動作モードにおいて、プロジェクタユニットを、例えば外部の操作面上において、支持する支持又は保持ユニット及び／又は固定手段として機能するように構成されている。
【００１５】
本発明のプロジェクタシステムの一実施形態によれば、本プロジェクタシステムの動作モードにおいて、プロジェクタシステムが支持又は保持ユニットとして機能する対物カバーユニットによって支持された場合、プロジェクタユニットの箇所及び／又は部分の各々は、外部操作面の水平面及び／又は外部スクリーンに対して、当該プロジェクタシステム、或いは対物ユニットを、互いに異なる垂直方向及び／又は水平方向における投影角度又は傾斜角度に割り当てられる及び／又はそれらを実現するように選択される。
【００１６】
更に、又は代わりに、対物ユニット及び／又はプロジェクタユニットは、連続して分布する複数の箇所／部分、位置／方向、及び／又は、投影角度又は傾斜角度を提供するように形成される及び／又は構成されることがより好ましい。このような手段によれば、投影角度又は傾斜角度に関し、多種多様な異なる投影状態を実現することができるため、本発明によるプロジェクタシステムを使用及び適用する場合の利便性を高めることが可能になる。
【００１７】
プロジェクタユニットは、表面を有するベース部を備えていてもよい。例えば、この表面は、プロジェクタシステム又はプロジェクタユニットの上述した表面領域として機能するもので、その少なくとも一部は、動作モードにおいて、例えば複数の箇所／部分、位置／方向又は投影角度／傾斜角度で、支持又は保持ユニット上にプロジェクタユニットを位置させる又は支持することを可能にするように、少なくとも局所的に連続的又は滑らかな凸面を形成しているものとする。
【００１８】
この場合、ベース部は、その断面構造において、少なくとも部分的な円形状、楕円状、又は放物線状の形状を備えていることが好ましい。
【００１９】
また、ベース部は、少なくとも部分的に、球状、楕円体状、放物体状、又は円筒状であることが好ましい。
【００２０】
また、ベース部が半球状又は半円筒状又はその一部を備えるように形成されていることが好ましい。
【００２１】
本発明の他の実施形態によれば、対物カバーユニットは、対物ユニットに対して着脱自在のキャップとして形成してもよい。このような構成によれば、利便性の高い対物カバーユニットの利用が可能となる。なぜならキャップは、簡単に高い信頼性で、対物ユニットの周囲に移動したり、固定したり、取り外したりすることが可能だからである。
【００２２】
対物カバーユニットは、例えば着脱自在のキャップの形態で、さまざまな幾何学的及び機械的な形状を有するように構成することができる。
【００２３】
例えば、対物カバーユニットは、本プロジェクタシステムの待機モード、休止モード、非投影モード又は非動作モードにおいて対物ユニットの光出射部又は光出射面と対向し、動作モードにおいてプロジェクタユニット、或いはそのベース部と対応するように構成されている、第１の又は内部ベース面を備えていてもよい。更にこの場合、対物カバーユニットは、待機モード、休止モード、非投影モード又は非動作モードにおいて第１の又は内部ベース面と反対側に位置し、従って、対物ユニットの光出射部又は光出射面の反対側に位置し、動作モード又は投影モードにおいてベース部及び／又はその表面の反対側に位置し、且つ、動作モードにおいて外部操作面に対向して位置するように構成されている、第２の又は外部ベース面を備えていてもよい。
【００２４】
上述の場合、対物カバーユニットが、更に縁部分を備えていてもよい。例えば、縁部分において、第１の又は内部ベース面の周辺に設けられ、第１の又は内部ベース面から、内部ベース面の略垂直方向に突き出るよう接触面を形成し、プロジェクタユニット、或いはそのベース部を、本プロジェクタシステムの動作モードにおいて支持又は保持又は位置させるようにしてもよい。
【００２５】
支持又は保持ユニットとして機能する対物カバーユニット又はその縁部分又はその接触面と、プロジェクタユニット又はそのベース部とが、次に示す形態のうちの少なくとも１つ又はそれらの組合せを実現するよう構成されていることが好ましい。
【００２６】
ａ）形状及び／又は表面の係合及び／又は協動作用
ｂ）相互摩擦力作用
ｃ）プロジェクタユニットの安定的及び／又は平衡的支持作用
安定した投影状態とするために、プロジェクタユニット、或いはそのベース部が、質量又は重力平衡により、支持又は保持ユニットによって支持可能であるように形状設定されている、及び／又は、質量分布を有していることが好ましい。
【００２７】
また他の実施形態によれば、対物カバーユニット、或いはその縁部分が、動作モードにおいて支持、載置されたプロジェクタユニットの位置を、実質的に固定するための保持又は固定手段を備えている。
【００２８】
更に、プロジェクタの形状は半円状又は半球状でもよい。異なる分野での応用においては、投影の高さを個々に変更することができる。本プロジェクタの特徴は、対物カバーを投影時の角度又は投影角度の固定のために用いることにある。カバーを溝軸に沿って移動すると、プロジェクタは或る位置で静止するので、光垂直投影角度を９０゜まで容易に調整することができる。
【００２９】
前述した特定の円形形状によれば、リモートコントロールにより動的変更ができる高さ調整を可能とする。垂直調整機能は最大で±４５゜まで伸ばすことが可能となる。他方で、対物レンズは、オフモード又は非投影モードにおいて、カバーにより保護することができる。このカバーは、動作モード又は投影モードにおいて、プロジェクタの投影角度を固定するために用いる。この角度は、例えば、０゜〜３５゜の間で変更することができる。
【００３０】
対物カバーの移動は、例えば、対物レンズの末端で位置保持手段を用いて行われる。また代わりに、プロジェクタ及びそのベース部を球形としてデザインすることができるので、垂直方向での投影角度として９０゜、水平方向での投影角度として３６０゜で調整することも可能である。
【発明の効果】
【００３１】
本発明によれば、限られた、より少ない数の構成部品を用いて、外部の作業面又は動作面上で安定して支持することができるプロジェクタシステムを提供することができる。
【発明を実施するための最良の形態】
【００３２】
本発明の実施の形態について図面を参照して説明する。なお、以下の説明では、同等の構造又は類似の機能或いはその両方を有する構成部品、構成要素については、同じ参照番号で表示されるものとし、これらの構成部品及び要素に関する詳細な説明は、それらが最初に示された時点で提供し、繰り返されないものとする。
【００３３】
図１は、非動作モード又は非投影モードにおける本発明のプロジェクタシステム１の一実施形態の側断面図である。プロジェクタシステム１は、対物ユニット４とベース部２とを具備するプロジェクタユニット３から成る。対物ユニット４は、対物カバーユニット６によって図１に示した状態で覆われる光出射部又は光出射面４ｅを具備している。従って、対物カバーユニット６は、光出射部又は光出射面４ｅの近くの対物ユニット４に、その側部領域４ｓを囲むように取り付けられている。図１に示す実施形態では、ベース部２は半球状又は円筒状であり、ベース部２の断面はほぼ半円状になる。動作モード又は投影モードにおいては、ベース部２、すなわち、プロジェクタユニット３の全体はベース部の表面領域２ａ上に載置される。
【００３４】
図２に示す状態では、対物カバーユニット６は取り外されて、その外部ベース面６ｂ又は第２の外部ベース面６ｂが外部動作面１００上に位置するように配置される。従って、対物カバーユニット６は、プロジェクタユニット３の支持又は保持ユニット８として動作及び機能する。この状態で、プロジェクタユニット３のベース部２では、次に述べるように、その表面領域２ａの部分Ｐ２が対物カバーユニット６の縁６ｒ上に位置している。図２に示す状態で、プロジェクタユニット３、従って、その対物ユニット４は、水平方向に向いて位置しているので、支持又は保持ユニット８としての対物カバーユニット６の軸ｎ６と対物ユニット４の軸ｎ４との間の傾斜角α２は０゜である。従って、投影光線１０によって外部スクリーン２０に投影される画像は、０゜の投影角度又は傾斜角度のもとで作られる。前述のように、水平位置を設定するために、ベース部２は、対物カバーユニット６の一形態である支持又は保持ユニット８上に支持され、その箇所又は部分Ｐ２が図２の曲線矢印で図示されている。
【００３５】
図２に旋回点Ｚ又は回転点Ｚが図示してあり、ベース部２、すなわちプロジェクタユニット３全体は、その周りを、回転することができる。
【００３６】
プロジェクタユニット３全体を旋回点Ｚに対して回転させると、約２０゜という傾斜角α３が、対物ユニット４の軸ｎ４と対物カバーユニット６の軸ｎ６との間で得ることができる。その結果、投影光線１０について０゜でない傾斜角度を得る。これは、プロジェクタユニット３のベース部２を載置及び支持することで得ており、その箇所又は部分Ｐ３が対応する曲線矢印で図示されている。
【００３７】
図４は、支持又は保持ユニット８としての対物カバーユニット６の軸ｎ６と対物ユニット４の軸ｎ４との間で、更に傾斜が増加した状態を示している。ここで、約４０゜という傾斜α４では、その箇所又は部分Ｐ４が支持又は保持ユニット８としての対物カバーユニット６上にあるように、ベース部を位置決めして得ている。
【００３８】
図５は、支持又は保持ユニット８としての対物カバーユニット６の側断面図である。対物カバーユニット６は、第１の又は内部ベース面６ｏと、第１の又は内部ベース面６ｏと対向する第２の又は外部ベース面６ｂとから成る。図１に示す非動作モード又は非投影モードでは、対物カバーユニット６の第１の又は内部ベース面６ｏが、対物ユニット４の光出射部又は光出射面４ｅの近傍に隣接しており、そこでは、対物カバーユニット６の縁６ｒは、その内面６ｓが光出射部又は光出射面４ｅの近くに位置する対物ユニット４の各々の側部領域４ｓと機械的に接触するように設けられている。投影モード又は動作モードでは、対物カバーユニット６は、図２〜４のシーケンスで示すように外部作業面又は外部動作面１００に、第２の外部ベース面６ｂを有する対物カバーユニット６を配置して、支持又は保持ユニット８として用いている。その横方向に延長した構成により、縁６ｒは接面６ｕとなるので、個々の表面部Ｐ２、Ｐ３、Ｐ４は各々、外部スクリーン２０に対する対物ユニット４の異なる投影角度又は傾斜角度を実現するように配置することができる。
【図面の簡単な説明】
【００３９】
【図１】非動作モードにおける本発明のプロジェクタシステムの一実施形態の側断面図である。
【図２】３つの異なる投影角度を有する動作モードにおける、図１の実施形態の側断面図である。
【図３】３つの異なる投影角度を有する動作モードにおける、図１の実施形態の側断面図である。
【図４】３つの異なる投影角度を有する動作モードにおける、図１の実施形態の側断面図である。
【図５】本発明のプロジェクタシステムに採用することができる対物カバーユニットの側断面図である。
【符号の説明】
【００４０】
１  プロジェクタシステム、２  ベース部、３  プロジェクタユニット、４  対物ユニット、６  対物カバーユニット、８  支持又は保持ユニット、２０  外部スクリーン
【図１】
2004199061.tif 000003
【図２】
2004199061.tif 000004
【図３】
2004199061.tif 000005
【図４】
2004199061.tif 000006
【図５】
2004199061.tif 000007